(57)【要約】      （修正有）【課題】取り付け性の向上を図ると共に電池の交換作業の容易化を図った電気錠システムを提供する。【解決手段】電気錠システムは、扉の壁面の室内側に取付けられ、室内側グリップを有する室内側ハンドル３と、扉の壁面の室外側に取付けられ、室外側グリップを有する室外側ハンドルと、扉に設けられ、施解錠操作装置の操作に基づき施解錠される電気錠と、を備え、室内側グリップと室外側グリップの少なくともいずれか一方のグリップの内部には電気錠の駆動電源となる電池１０を保持する電池収容部３０が形成されている。【選択図】図３
2015089998.tif 000002
【特許請求の範囲】
【請求項１】
扉の壁面の室内側に取付けられ、室内側グリップを有する室内側ハンドルと、
前記扉の壁面の室外側に取付けられ、室外側グリップを有する室外側ハンドルと、
前記扉に設けられ、施解錠操作装置の操作に基づき施解錠される電気錠と、
を備え、前記室内側グリップと前記室外側グリップの少なくともいずれか一方のグリップの内部には前記電気錠の駆動電源となる電池を保持する電池収容部が形成されていることを特徴とする電気錠システム。
【請求項２】
前記室内側グリップは前記扉の壁面の室内側に離間して固定される一対の室内側台座の間を連結し、前記室外側グリップは前記扉の壁面の室外側に離間して固定される一対の室外側台座の間を連結し、
前記室内側台座および前記室外側台座はそれぞれ上下一対に設けられ、前記室内側グリップおよび前記室外側グリップはそれぞれ上下に細長い円筒形状を有していることを特徴とする請求項１に記載の電気錠システム。
【請求項３】
前記電池収容部を有する前記グリップの上端には、該電池収容部に連通するように上端開口部が設けられると共に、該上端開口部を開閉可能な上蓋部が設けられ、前記電池は該上端開口部を介して前記電池収容部に着脱可能となっていることを特徴とする請求項２に記載の電気錠システム。
【請求項４】
前記電池収容部に収容される電池を保持可能且つ該電池収容部に着脱可能なカートリッジを備え、該電池を保持した該カートリッジが該電池収容部に装着された状態で該カートリッジの上端部を引っ張ると、該電池を保持した該カートリッジが前記上端開口部を介して該電池収容部から抜脱されることを特徴とする請求項３に記載の電気錠システム。
【請求項５】
下端部が前記電池収容部の下端に固定されると共に上端部が前記上端開口部を開放した時に該上端開口部から露出するように設けられる電池取り出し部材を備えており、該電池収容部に前記電池が収容された状態で前記電池取り出し部材の上端部を引っ張ると、該電池が該上端開口部を介して前記電池収容部から抜脱されることを特徴とする請求項３に記載の電気錠システム。
【請求項６】
前記電池収納部を有する前記グリップの下端には、該電池収容部に連通するように下端開口部が設けられると共に、該下端開口部を開閉可能な下蓋部が設けられ、前記電池は該下端開口部を介して前記電池収容部に着脱可能に構成されており、該電池収容部に該電池が収容された状態で該下端開口部を開放させると、該電池が自重により該下端開口部を介して該電池収容部から抜脱されることを特徴とする請求項２に記載の電気錠システム。
【発明の詳細な説明】
【技術分野】
【０００１】
本発明は、電池式の電気錠システムに関する。
【背景技術】
【０００２】
近年、商業施設、集合住宅等の出入口や一般住宅の玄関等では、ＩＣカード等をリーダにかざすことによりデッドボルトを電気的に駆動させて施解錠を行う電気錠が設置されている。このような電気錠の電源として電池を用いたものが、一般的に知られている。
【０００３】
例えば、特許文献１には、扉面に取り付けられる所謂面付錠であって、面付錠の錠ケース内に電池の収容部が設けられ、機構部分と、制御回路、電池（電源）が１つの箱内に収納される遠隔操作型電気錠装置が開示されている。また、特許文献２には、扉の厚み内に収納可能に構成され、錠機構部、制御回路、電池収容部（電池ボックス）、の各部が、扉の木口側彫り込み部分に収納される情報読取機能付錠が開示されている。
【先行技術文献】
【特許文献】
【０００４】
【特許文献１】特開２００３−２６９０１８号公報
【特許文献２】特開２００３−１６１０６６号公報
【発明の概要】
【発明が解決しようとする課題】
【０００５】
しかしながら、上記した特許文献１の遠隔操作型電気錠装置では、機構部分と、制御回路、電池（電源）が１つの箱内に収納されるため、装置の大型化が避けられないといった問題や、大型化した装置が扉面に露出するため、デザイン上好ましくないといった問題がある。
【０００６】
また、上記した特許文献２の情報読取機能付錠では、各部が扉の彫り込み部分に収納されるため、扉の厚さ以内に相応の空間を必要とし、その空間を形成するために彫り込み加工をしなければならない。そのため、装置の取り付け作業に手間が掛かるという問題がある。さらに、電池を木口から出し入れする構造となっているため、電池の交換作業を行い難いといった問題や、電池交換の際に、扉を開放しなければならないため、閉扉時に電池切れした場合には交換できなくなる不都合があるといった問題もある。
【０００７】
本発明は上記した課題を解決すべくなされたものであり、扉表面に電池収納用の大型の箱等が露出せず、取り付け性の向上を図ることができると共に電池の交換作業を容易に行うことのできる電気錠システムを提供することを目的とするものである。
【課題を解決するための手段】
【０００８】
上記した目的を達成するため、本発明に係る電気錠システムは、扉の壁面の室内側に取付けられ、室内側グリップを有する室内側ハンドルと、前記扉の壁面の室外側に取付けられ、室外側グリップを有する室外側ハンドルと、前記扉に設けられ、施解錠操作装置の操作に基づき施解錠される電気錠と、を備え、前記室内側グリップと前記室外側グリップの少なくともいずれか一方のグリップの内部には前記電気錠の駆動電源となる電池を保持する電池収容部が形成されていることを特徴とする。
【０００９】
この特徴によれば、前記グリップの内部を電池収容部として有効利用することができるため、面付錠の場合でも、扉表面に電池収納用の大型の箱等が露出せず、デザイン性を損なうことがない。また、電池を扉に内設する必要がないため、取り付け性を高めることができると共に、電池の交換作業を容易に行うことができる。
【００１０】
また、本発明に係る電気錠システムにおいて、前記室内側グリップは前記扉の壁面の室内側に離間して固定される一対の室内側台座の間を連結し、前記室外側グリップは前記扉の壁面の室外側に離間して固定される一対の室外側台座の間を連結し、前記室内側台座および前記室外側台座はそれぞれ上下一対に設けられ、前記室内側グリップおよび前記室外側グリップはそれぞれ上下に細長い円筒形状を有していることを特徴としてもよい。
【００１１】
この特徴によれば、円筒形の電池を使用する場合には、より効率良く前記グリップ内に該電池を収容することができ、システムのコンパクト化を図ることができると共に、取り付け性の向上および電池の交換作業の容易化をさらに図ることができる。
【００１２】
また、本発明に係る電気錠システムにおいて、前記電池収容部を有する前記グリップの上端には、該電池収容部に連通するように上端開口部が設けられると共に、該上端開口部を開閉可能な上蓋部が設けられ、前記電池は該上端開口部を介して前記電池収容部に着脱可能となっていてもよい。
【００１３】
この特徴によれば、前記電池の自重で前記電池収容部に該電池を簡単に収容させることができる。
【００１４】
また、本発明に係る電気錠システムは、前記電池収容部に収容される電池を保持可能且つ該電池収容部に着脱可能なカートリッジを備え、該電池を保持した該カートリッジが該電池収容部に装着された状態で該カートリッジの上端部を引っ張ると、該電池を保持した該カートリッジが前記上端開口部を介して該電池収容部から抜脱されることを特徴とする。
【００１５】
この特徴によれば、複数の電池が必要な場合でも、前記電池収容部に対して前記カートリッジを着脱するだけで、該電池の交換作業を簡単に行うことができる。
【００１６】
また、本発明に係る電気錠システムは、下端部が前記電池収容部の下端に固定されると共に上端部が前記上端開口部を開放した時に該上端開口部から露出するように設けられる電池取り出し部材を備えており、該電池収容部に前記電池が収容された状態で前記電池取り出し部材の上端部を引っ張ると、該電池が該上端開口部を介して前記電池収容部から抜脱されることを特徴とする。
【００１７】
この特徴によれば、前記電池の自重で前記電池収容部に該電池を簡単に収容させることができると共に、前記電池取り出し部材を引っ張るだけで該電池収容部から該電池を抜脱することができるため、該電池の交換作業をより簡単に行うことができる。
【００１８】
また、本発明に係る電気錠システムにおいて、前記電池収納部を有する前記グリップの下端には、該電池収容部に連通するように下端開口部が設けられると共に、該下端開口部を開閉可能な下蓋部が設けられ、前記電池は該下端開口部を介して前記電池収容部に着脱可能に構成されており、該電池収容部に該電池が収容された状態で該下端開口部を開放させると、該電池が自重により該下端開口部を介して該電池収容部から抜脱されることを特徴とする。
【００１９】
この特徴によれば、前記下蓋部を取り外して前記下端開口部を開放させることにより、前記電池の自重で前記電池収容部から該電池を簡単に抜脱することができる。
【発明の効果】
【００２０】
本発明によれば、扉表面に電池収納用の大型の箱等が露出せず、取り付け性の向上を図ることができると共に電池の交換作業を容易に行うことができる等、種々の優れた効果を得ることができる。
【図面の簡単な説明】
【００２１】
【図１】本発明の実施の形態に係る電気錠システムを示す概略図である。
【図２】本発明の実施の形態に係る電気錠システムの室内側ハンドルおよび室外側ハンドルを示す側面図である。
【図３】本発明の実施の形態に係る電気錠システムにおいて室内側ハンドルの電池収容部を示す側面図である。
【発明を実施するための形態】
【００２２】
以下、図面を参照しつつ、本発明の実施の形態に係る電気錠システムについて説明する。ここで、図１は本発明の実施の形態に係る電気錠システムを示す概略図、図２は本発明の実施の形態に係る電気錠システムの室内側ハンドルおよび室外側ハンドルを示す側面図、図３は本発明の実施の形態に係る電気錠システムにおいて室内側ハンドルの電池収容部を示す側面図である。なお、以下の説明において、前後の向きは、特に指定のない限り、図２中の、扉の室内側である左側を前方とし、扉の室外側である右側を後方とする。
【００２３】
図１および図２に示すように、電気錠システム１は、扉２の室内外の両壁面にそれぞれ固定される室内側ハンドル３および室外側ハンドル４と、各ハンドル３，４の操作に伴って扉２の木口２ａに対してラッチボルト５ａが進退可能に設けられるラッチ錠５と、扉２の室外側の壁面に設置される施解錠操作装置６と、施解錠操作装置６から送られる信号に基づいてデッドボルト７ａ，８ａをそれぞれ駆動させる主電気錠７および副電気錠８と、扉２の内部に設けられる制御装置９と、施解錠操作装置６、各電気錠７，８および制御装置９に電力を供給する電池１０と、を備えて概略構成されている。
【００２４】
図２および図３に良く示されているように、室内側ハンドル３は、扉２の室内側壁面に上下に離間して固定される室内上側台座１１および室内下側台座１２と、各台座１１，１２に対してそれぞれ水平方向に回動可能に取り付けられる室内上側アーム１３および室内下側アーム１４と、各アーム１３，１４の先端部に固定されて各台座１１，１２の間を連結するように上下方向に延設される室内側グリップ１５と、を備えて構成されている。
【００２５】
室内上側台座１１の上部および室内下側台座１２の下部には、それぞれサムターン開口部１６，１７が貫通して形成されている。また、室内上側台座１１の下部および室内下側台座１２の上部には、それぞれ室内上側アーム１３の基端部および室内下側アーム１４の基端部が、各台座１１，１２に内設された鉛直回転軸（図示せず）を支点として回動可能に支持されている。
【００２６】
室内側グリップ１５は上下に細長い円筒形状を有しており、室内側グリップ１５の内部には、電池収容部３０が形成されている。なお、電池収容部３０の構造については、後述する。
【００２７】
室外側ハンドル４は、上記した室内側ハンドル３と同様に、室外上側台座１８および室外下側台座１９と、室外上側アーム２０および室外下側アーム２１と、室外側グリップ２２と、を備えて構成されている。
【００２８】
室外上側台座１８の上部および室外下側台座１９の下部には、それぞれシリンダ開口部（図示省略）が貫通して形成されている。また、室外上側台座１８の下部および室外下側台座１９の上部には、それぞれ室外上側アーム２０の基端部および室外下側アーム２１の基端部が、各台座１８，１９に内設された鉛直回転軸（図示せず）を支点として回動可能に支持されている。
【００２９】
室外側グリップ２２は上下に細長い円筒形状を有しているが、室外側グリップ２２の内部には、電池収容部３０は形成されていない。
【００３０】
施解錠操作装置６は、例えば、非接触型ＩＣカード、キーヘッド、タグ若しくは指等で接触するタッチキー、テンキーまたは指紋等の生体認証式等のリーダ（図示せず）を備えている。
【００３１】
図１〜図３に示すように、主電気錠７は、室内上側台座１１と室外上側台座１８とに挟まれる位置で木口２ａに沿うように扉２の内部に設けられている。主電気錠７には、扉２の木口２ａに対してデッドボルト７ａ進退させるモータやソレノイド等の駆動手段や駆動手段を制御する電気基板（いずれも図示せず）等が内設されている。主電気錠７には、手動でデッドボルト７ａを進退操作するためのサムターン２５が、室内上側台座１１のサムターン開口部１６から室内に露出するように設けられている。さらに、主電気錠７には、機械的キーが挿入されて施解錠が行われるシリンダ錠２６が、室外上側台座１８の前記シリンダ開口部から室外に露出するように設けられている。
【００３２】
副電気錠８は、主電気錠７と同様に、室内下側台座１２と室外下側台座１９とに挟まれる位置で木口２ａに沿うように扉２の内部に設けられ、デッドボルト８ａを進退させる駆動手段や電気基板等（図示せず）を備えている。また、副電気錠８には、室内下側台座１２のサムターン開口部１７から室内に露出するサムターン２７と、室外下側台座１９の前記シリンダ開口部から室外に露出するシリンダ錠２８と、が設けられている。
【００３３】
図１に示すように、制御装置９は、主電気錠７の上方において扉２の内部に設けられており、ＣＰＵ、ＲＯＭおよびＲＡＭ等を有するマイクロコンピュータ（図示せず）により構成されている。制御装置９は、施解錠操作装置６で読み取って送信された認証情報が正しい認証情報であるか否かを判別する機能等を有している。また、制御装置９は、主電気錠７を施錠した場合に副電気錠８も同時に施錠する施錠追従機能や、２つの電気錠７，８のうち一方のみを解錠し、一定時間内に他方の電気錠を解錠しない場合に解錠した一方の電気錠を再び自動で施錠する施錠復帰機能を有している。
【００３４】
上記した制御装置９による各種機能を実現するために、制御装置９は、施解錠操作装置６と、主電気錠７と、副電気錠８とに対し、それぞれケーブル２９を介して電気的に接続され、制御情報等の伝送が行われるようになっている。なお、ケーブル２９は制御線の他に電力線等を含んで構成されている。
【００３５】
上記した構成を備えた電気錠システム１において、室外側から入室しようとする者がＩＣカード等を施解錠操作装置６にかざすと、認証情報が制御装置９に送信される。制御装置９では、受信した認証情報が予め記憶された特定の認証情報と合致するか否かが判別される。この結果、両方の認証情報が合致すると判別された場合、制御装置９から主電気錠７に解錠信号が出力され、主電気錠７が解錠される。また、主電気錠７の解錠に連動して、制御装置９から解錠信号が出力され、副電気錠８が解錠される。一方、前記両方の認証情報が合致しないと判別された場合には、主電気錠７の解錠は行われない。
【００３６】
このように主電気錠７および副電気錠８が解錠された状態において、室外側グリップ２２を把持し、後方（室外側）に引くと、室外側グリップ２２および各アーム２０，２１が前記鉛直回転軸を中心に後方に回動し、室外側ラッチバー（図示せず）が下方に移動する。これにより、ラッチボルト５ａの係止が解除され、ラッチボルト５ａが扉２の木口２ａから退避可能となり、扉２を開放させることができる。
【００３７】
次に、図１〜図３を参照して、本発明の実施の形態に係る電気錠システム１の電池収容部３０の構造について詳細に説明する。
【００３８】
本発明の実施の形態に係る電気錠システム１において、電池収容部３０には、カートリッジ３１に保持された複数の電池１０が収容可能となっている。これらの電池１０としては、４本の円筒型の単二形乾電池が使用されており、カートリッジ３１は、４本すべての乾電池を縦向き直列に保持可能なように形成されている。
【００３９】
電池収容部３０の上方であって、室内側グリップ１５の上端には、電池収容部３０に連通するように上端開口部３２が設けられると共に、該上端開口部３２を開閉可能な上蓋部３３が螺設されている。上蓋部３３は円板形状を有し、上蓋部３３の下端にはコイルばね３４が取り付けられている。また、カートリッジ３１の上端部には、紐状の摘み部３５が取り付けられており、摘み部３５は、上蓋部３３を取り外した時に上端開口部３２から露出するように設けられている。
【００４０】
カートリッジ３１の上面には、導電材料から成る第１接続端子３６が設けられており、第１接続端子３６は、カートリッジ３１に収容された最上段の電池１０の上端側に配置された第１電極（本実施の形態では負極）に接触するようになっている。また、カートリッジ３１の下面には、導電材料から成る第２接続端子３７が設けられており、第２接続端子３７は、カートリッジ３１に収容された最下段の電池１０の下端側に配置された第２電極（本実施の形態では負極）に接触するようになっている。また、カートリッジ３１には、第１接続端子３６と第２接続端子３７とを電気的に接続するリード線（図示省略）がカートリッジ３１の側面に沿って上下方向に延設されている。
【００４１】
電池収容部３０には、カートリッジ３１の下方にストッパ部３８が取り付けられている。カートリッジ３１の第２接続端子３７とストッパ部３８との間には、金属製の板バネ３９が介装されており、この板バネ３９を介して、ストッパ部３８は第２接続端子３７と電気的に接続されている。また、ストッパ部３８は、扉２内に設けられるコネクタ４０を介してケーブル２９と接続されており、ストッパ部３８とコネクタ４０間の配線４１は、室内下側アーム１４および室内下側台座１２内を通過して配設されている。これにより、電池１０は、配線４１およびケーブル２９を介して、施解錠操作装置６、主電気錠７、副電気錠８、および制御装置９等に電源を供給するようになっている。
【００４２】
上記した構造を備えた電気収容部３０に対して電池１０を交換する場合、まず、上蓋部３３を取外し、摘み部３５を引っ張る。そうすると、カートリッジ３１が電池収容部３０から上端開口部３２を介して抜脱されるため、カートリッジ３１から消耗した電池１０を取り外し、代わりにカートリッジ３４に新品の電池１０を装着する。その後、このカートリッジ３１を上端開口部３２から電池収容部３０に挿入し、上蓋部３３を装着する。
【００４３】
このように上記した本発明の実施の形態によれば、室内側グリップ１５の内部を電池収容部３０として有効利用することができるため、扉２の表面に電池収納用の大型の箱等が露出することがなく、電気錠システム１の取り付け性を高めることができると共に、電池１０の交換作業を容易に行うことができる。また、円筒型の電池１０に対して電池収納部３０が円柱形状を成しているため、室内側グリップ１５の内部に電池１０を効率良く収容することができ、電気錠システム１全体のコンパクト化を図ることができる。
【００４４】
また、電池１０が室内側グリップ１５の上端開口部３２を介して電池収容部３０に着脱可能に形成されているため、電池１０の自重で電池収容部３０に電池１０を簡単に収容させることができる。さらに、４本すべての電池１０がカートリッジ３１に保持されているため、電池収容部３０に対してカートリッジ３１を着脱するだけで、すべての電池１０の交換作業を一度に行うことができると共に、摘み部３５を上方に引っ張るだけで電池収容部３０からすべての電池１０を抜脱することができる。したがって、電池１０の交換作業をより簡単に行うことができるようになる。
【００４５】
なお、上記した実施の形態の説明では、４本の円筒型の単二形乾電池を使用する場合について例示したが、電池１０の種類や本数はこの場合に限定されるものではなく、例えば直方体型や平型（ボタン型）の乾電池や単三形や単四形の乾電池等を使用することもできる。また、カートリッジ３１に保持される電池１０の向きも上記した縦向き直列に限定されるものではなく、例えば、複数本の乾電池を並列に配置する等、各種変更が可能である。
【００４６】
また、電池１０は必ずしもカートリッジ３１に保持させる必要はなく、直接、室内側グリップ１５の電池収容部３０に収容させてもよい。この場合、特に図示しないが、電池収容部３０に収容した電池１０の側部に沿って上下方向に電池取り出し部材（例えば、紐状の部材）を設け、該電池取り出し部材の下端部が電池収容部３０の下端に固定されると共に該取り出し部材の上端部が上端開口部３２を開放した時に上端開口部３２から露出し、電池収容部３０に電池１０が収容された状態で前記紐部材の上端部を引っ張ると、電池１０が上端開口部３２を介して電池収容部３０から抜脱されるように構成してもよい。
【００４７】
また、特に図示しないが、室内側グリップ１５の下端に、電池収容部に連通するように下端開口部を設けると共に該下端開口部を開閉可能な下蓋部を設け、電池１０を、直接、または、カートリッジに保持させた状態で、該下端開口部を介して該電池収容部に着脱可能なように構成してもよい。この場合、該電池収容部に電池１０が収容された状態で該下端開口部を開放させると、電池１０または該電池を保持したカートリッジが自重により該下端開口部を介して該電池収容部から抜脱されるよう構成することもできる。
【００４８】
また、上記した実施の形態では、室内側グリップ１５の内部に電池収容部３０を設けているが、電池収容部３０は、室外側グリップ２２の内部や、室内側グリップ１５及び室外側グリップ２２の各内部にそれぞれ設けられていてもよい。さらに、電池収容部３０が内設される室内側グリップ１５や室外側グリップ２２の形状は、上記した細長い円筒形状に限定されるものではなく、扉２の反対側に湾曲した形状や平板形状等、各種変更が可能である。
【００４９】
なお、上記した本発明の実施の形態の説明は、本発明に係る電気錠システム１における好適な実施の形態について説明しているため、技術的に好ましい種々の限定を付している場合もあるが、本発明の技術範囲は、特に本発明を限定する記載がない限り、これらの態様に限定されるものではない。さらに、上記した本発明の実施形態等における構成要素は適宜、既存の構成要素等との置き換えが可能であり、かつ、他の既存の構成要素との組合せを含む様々なバリエーションが可能であり、上記した本発明の実施形態等の記載をもって、特許請求の範囲に記載された発明の内容を限定するものではない。
【符号の説明】
【００５０】
１    電気錠システム
２    扉
２ａ  木口
３    室内側ハンドル
４    室外側ハンドル
６    施解錠操作装置
７    主電気錠
８    副電気錠
１０  電池
１１  室内上側台座
１２  室内下側台座
１５  室内側グリップ
１８  室外上側台座
１９  室外下側台座
２２  室外側グリップ
３０  電池収容部
３１  カートリッジ
３２  上端開口部
３３  上蓋部
【図１】
2015089998.tif 000003
【図２】
2015089998.tif 000004
【図３】
2015089998.tif 000005